(57)【要約】      （修正有）【課題】ラック用スライドレールのブラケットを提供する。【解決手段】固定架１２はスライドレールキットに固定し、取付モジュール１４は端壁２６に固定する。可動部材１６は第一板部４８と第二板部５０とを含む。第一板部４８は側壁に連結し、貫通孔５２と押圧連結部５８を備え、第二板部５０は取付モジュール１４に対応する。定位部材１８は側壁に固着し、嵌入孔６２を備える。リリース部材２０は第一板部４８に取り付ける。ラックに引き掛けて取り付ける場合、可動部材の押圧連結部５８と第二板部５０をラック支柱の内、外側に押圧し、取付モジュール１４をラック支柱上のホールに対応させ、スライドレールキットを手で持ち、固定架１２をラック支柱方向に押すと、取付モジュール１４はラック支柱のホールに挿入され、定位部材１８の嵌合部は嵌入孔にはめ込まれ、可動部材１６と固定架１２はロックし合う。【選択図】図１
0003179651.tif 000002
【実用新案登録請求の範囲】
【請求項１】
スライドレールキットに連結してラック支柱に取り付けるためのラック用スライドレールのブラケットであって、
前記ラック支柱は、複数のホールを含み、
前記ブラケットは、
スライドレールキットに固定し、側壁と、端壁と、側壁の上端、下端にそれぞれ位置する突出体とを備え、突出体と側壁とが共同で第一通路を形成し、側壁に含まれる凹部によって第二通路が形成される固定架と、
固定架の端壁に固定する取付モジュールと、
第一板部及び第二板部を含み、その内、第一板部は、固定架の第一通路内に延伸し、且つ固定架の第二通路内に延伸する支持架と、第二板部に隣接する押圧連結部とを備え、支持架には嵌入孔を備え、第二板部に含まれる複数のホールは取付部材に対応する可動部材と、
固定部、弾力アーム、作動部、及び嵌合部を含み、その内、固定部は、固定架の側壁に固着し、弾力アームは、固定部と作動部間に延伸して連結し、作動部は弾力アームから一定角度をもって延伸し、嵌合部は弾力アームに位置し、且つ可動部材の嵌入孔に対応する定位部材と、
可動部材の第一板部に可動状態で取り付け、定位部材の作動部に対応するプッシュブロックを備えるリリース部材とを含み、
ラックに引き掛けて取り付ける時は、可動部材の押圧連結部と第二板部をラック支柱の内、外側に延伸させて押圧し、取付モジュールをラック支柱上のホールに対応させ、固定架をラック支柱方向にシフトさせることにより、取付モジュールをラック支柱のホールに挿着し、且つ定位部材の嵌合部を可動部材の嵌入孔に挿入させると、可動部材と固定架とがロックし合い、
リリース部材を押し動かすと、リリース部材のプッシュブロックによって定位部材の作動部が押圧され、定位部材の弾力アームは可動部材に対してつっぱり、定位部材の嵌合部は可動部材の嵌入孔から離脱し、可動部材と固定架は相対的にシフトし、これにより、ブラケットの取付部材をラック支柱から取り外すことができることを特徴とするラック用スライドレールのブラケット。
【請求項２】
前記固定架の側壁は、一対の連接孔を含み、可動部材の第一板部に含まれる一対の貫通孔は、固定架の側壁の連接孔に対応し、貫通孔と連接孔の一つは一対の軸方向の長穴とし、一対の連接部材を貫通孔及び連接孔に貫通させて連結することにより、可動部材と固定架を可動状態で連結することを特徴とする請求項１に記載のラック用スライドレールのブラケット。
【請求項３】
前記固定架の側壁に備え、窓穴まで延伸する制御部は、リリース部材に対応することを特徴とする請求項１に記載のラック用スライドレールのブラケット。
【請求項４】
前記取付モジュールは、一対の取付部材と、取付部材間に連接する定位ブロックを含み、且つ定位ブロックは、固定架に対応する端壁に貫通するねじ穴を形成することを特徴とする請求項１に記載のラック用スライドレールのブラケット。
【請求項５】
前記リリース部材は、操作部と、プッシュブロックと操作部間に延伸し連接する連接部とを含み、プッシュブロックに備えた斜面は、定位部材の作動部に対応することを特徴とする請求項１に記載のラック用スライドレールのブラケット。
【請求項６】
前記リリース部材のプッシュブロックに備える首部は連接部に連結し、可動部材の第一板部には溝部を含み、首部によって溝部に貫入し、リリース部材は可動部材の支持架上に可動状態で連結されることを特徴とする請求項１に記載のラック用スライドレールのブラケット。
【請求項７】
前記固定架の側壁に備えた制御部は、リリース部材のプッシュブロック或いは首部に対応するため、リリース部材の可動部材からの離脱は発生しないことを特徴とする請求項６に記載のラック用スライドレールのブラケット。
【請求項８】
側壁、ほぼ側壁の一端から垂直に延伸する端壁、側壁の上端、下端にそれぞれ位置する突出体を備え、突出体と側壁とで第一通路を共同で形成し、側壁は、連接孔、連接孔間に位置する凹部、及び制御部を備え、凹部は端壁まで延伸して第二通路を形成し、且つ凹部上には窓穴を形成する固定架と、
固定架の端壁に固定し、一対の取付部材を含む取付モジュールと、
第一板部と、第一板部から屈曲状態で延伸する第二板部とを含み、その内、第一板部は、固定架の第一通路内に延伸し、第一板部は、貫通孔、押圧連結部、支持架、及び溝部を含み、貫通孔は、固定架の連接孔に対応し、貫通孔と連接孔の一つは軸方向の長穴であり、連接部材を連結させることにより、可動部材と固定架を可動状態で連結し、押圧連結部は第二板部に隣接し、支持架は固定架の第二通路内に延伸し、且つ嵌入孔を備え、第二板部に含まれる複数のホールは、取付モジュールの取付部材に対応する可動部材と、
固定部、弾力アーム、作動部、及び嵌合部を含み、その内、固定部は、固定架の側壁に固着し、弾力アームは、固定部と作動部間に延伸して連接し、作動部は、弾力アームから一定角度をもって延伸し、嵌合部は、弾力アームに位置し、可動部材の嵌入孔に対応し、且つ作動部と嵌合部は固定架の窓穴箇所から延伸して配置される定位部材と、
プッシュブロック、操作部、及びプッシュブロックと操作部間に連接する連接部を含み、且つ可動部材の支持架に連結し、プッシュブロックには定位部材の作動部に対応する斜面を備えるリリース部材と、を含むことを特徴とするラック用スライドレールのブラケット。
【請求項９】
前記プッシュブロックは首部を介して連接部に連結され、首部によって可動部材の溝部に貫入するため、リリース部材は可動部材の支持架に可動状態で連結されることを特徴とする請求項８に記載のラック用スライドレールのブラケット。
【請求項１０】
前記固定架の側壁に備えた制御部は、リリース部材のプッシュブロック或いは首部に対応するため、リリース部材の可動部材からの離脱を発生させないことを特徴とする請求項９に記載のラック用スライドレールのブラケット。
【考案の詳細な説明】
【技術分野】
【０００１】
本考案は、特にスライドレールキットのブラケットを工具を使わずに、一人が一箇所で迅速にラック支柱上に取り付けて定位させることができるラック用スライドレールのブラケットに関する。
【背景技術】
【０００２】
Ｍｕｓｈａｎらによる特許文献１、Ｈｕａｎｇらによる特許文献２、Ｂｒｏｃｋらによる特許文献３には、ラック用スライドレールのブラケットが開示されており、本文を合わせて参考にされたい。
【０００３】
現有のブラケットは設計が非常に複雑で、尚且つ定位させる操作では、二人の力が必要となるか、又は一人で機架の前、後方のロック構造を別々に操作する必要があり、敏捷性の不足は顕著である。そこで、本考案者は、構造が比較的簡便で、工具を使わずに、一人が一箇所で迅速にラック支柱上に取り付けて定位させられる構造を生み出した。
【先行技術文献】
【特許文献】
【０００４】
【特許文献１】米国特許第７，８５７，１４５Ｂ２号明細書
【特許文献２】米国特許第８，１０４，６２６Ｂ２号明細書
【特許文献３】米国特許第８，１４６，７５６Ｂ２号明細書
【考案の概要】
【考案が解決しようとする課題】
【０００５】
従来のブラケットの設計が非常に複雑で、尚且つ定位させる操作では、二人の力を必要とするか、又は一人で機架の前、後方のロック構造を別々に操作する必要があり、敏捷性に欠ける問題点に鑑み、本考案は、特に構造が簡便、工具を使用せずに、一人が一箇所で迅速にラック支柱に取り付けられるラック用スライドレールのブラケットを提供することを課題とする。
【課題を解決するための手段】
【０００６】
本考案の観点に立つブラケットは、ラック支柱に引き掛ける場合、工具の使用を不要とし、スライドレールキットを手に持ち、ブラケットをラック支柱に引き掛けて若干力を入れて押すだけで、自動的にラック支柱に嵌合される。
【０００７】
本考案の観点に立つラック用スライドレールのブラケットは、ラック支柱に取り付けるためのもので、該ラック支柱は、複数のホールを含み、ブラケットは、固定架、取付モジュール、可動部材、定位部材、及びリリース部材を含む。
【０００８】
固定架は、スライドレールキットに固定し、側壁、端壁、及び上端、下端にそれぞれ位置する突出体を備え、突出体と側壁とが第一通路を共同で形成する。また、側壁に備える凹部によって第二通路が形成される。
取付モジュールは、固定架の端壁に固定する。
可動部材は、第一板部と、第二板部とを含む。その内、第一板部は、固定架の第一通路内に延伸し、第一板部には押圧連結部と支持架を備え、支持架は固定架の第二通路内に延伸し、押圧連結部は第二板部に隣接する。支持架には嵌入孔を備え、第二板部に含まれる複数のホールは取付部材に対応する。
定位部材は、固定部、弾力アーム、作動部、及び嵌合部を含む。その内、固定部は、固定架の側壁に固着し、弾力アームは、固定部と作動部間に延伸して連接する。作動部は弾力アームから一定角度をもって延伸し、嵌合部は弾力アームに位置し、尚且つ可動部材の嵌入孔に対応する。
リリース部材は、可動部材の第一板部に可動状態で取り付け、定位部材の作動部に対応するプッシュブロックを備える。ラックに引き掛けて取り付ける時は、可動部材の押圧連結部と第二板部をラック支柱の内、外側に延伸させて押圧し、取付モジュールをラック支柱上のホールに対応させ、固定架をラック支柱方向にシフトさせることにより、取付モジュールをラック支柱のホールに挿着し、定位部材の嵌合部を可動部材の嵌入孔に挿入し、可動部材と固定架をロックする。リリース部材を押し動かすと、リリース部材のプッシュブロックによって定位部材の作動部が押圧され、定位部材の弾力アームは可動部材に対してつっぱり、定位部材の嵌合部は可動部材の嵌入孔から離脱するため、可動部材と固定架は相対的にシフトする。よって、ブラケットの取付部材はラック支柱から取り外される。
【０００９】
好ましくは、固定架の側壁は、一対の連接孔を含み、可動部材の第一板部に含まれる一対の貫通孔は固定架の側壁の連接孔に対応し、貫通孔と連接孔の一つは一対の軸方向の長穴とし、一対の連接部材を貫通孔及び連接孔に貫通させて連結することにより、可動部材と固定架を可動状態で連結する。
【００１０】
好ましくは、固定架の側壁に備え、窓穴まで延伸する制御部はリリース部材に対応する。
【００１１】
好ましくは、取付モジュールは、一対の取付部材と、取付部材間に連接する定位ブロックを含み、尚且つ定位ブロックは、固定架に対応する端壁に貫通するねじ穴を形成する。
【００１２】
好ましくは、リリース部材は、操作部と、プッシュブロックと操作部間に延伸し連接する連接部を含み、プッシュブロックに備えた斜面は、定位部材の作動部に対応する。
【００１３】
好ましくは、リリース部材のプッシュブロックに備える首部は連接部に連結し、可動部材の第一板部には溝部を含む。首部によって溝部に貫入し、リリース部材は可動部材の支持架上に可動状態で連結される。
【００１４】
固定架の側壁に備えた制御部は、リリース部材のプッシュブロック或いは首部に対応するため、リリース部材が可動部材から離脱することがない。
【００１５】
本考案のもう一つの観点に立つブラケットは、固定架、取付モジュール、可動部材、定位部材、及びリリース部材を含む。
【００１６】
固定架は、側壁、ほぼ側壁の一端から垂直に延伸する端壁、側壁の上端、下端にそれぞれ位置する突出体を備え、突出体と側壁とで第一通路を共同で形成する。側壁は、連接孔、連接孔間に位置する凹部、及び制御部を備える。凹部は端壁まで延伸して第二通路を形成し、尚且つ凹部上には窓穴を形成する。
取付モジュールは、固定架の端壁に固定し、一対の取付部材を含む。
可動部材は、第一板部と、第一板部から屈曲状態で延伸する第二板部とを含む。その内、第一板部は、固定架の第一通路内に延伸する。第一板部は、貫通孔、押圧連結部、支持架、及び溝部を含む。貫通孔は、固定架の連接孔に対応し、貫通孔と連接孔の一つは軸方向の長穴であり、連接部材を連結させることにより、可動部材と固定架を可動状態で連結する。また、押圧連結部は第二板部に隣接する。支持架は固定架の第二通路内に延伸し、それは嵌入孔を備える。第二板部に含まれる複数のホールは、取付モジュールの取付部材に対応する。
定位部材は、固定部、弾力アーム、作動部、及び嵌合部を含む。その内、固定部は、固定架の側壁に固着し、弾力アームは、固定部と作動部間に延伸して連接する。作動部は、弾力アームから一定角度をもって延伸し、嵌合部は、弾力アームに位置し、可動部材の嵌入孔に対応し、尚且つ作動部と嵌合部は固定架の窓穴箇所から延伸して配置される。
リリース部材は、プッシュブロック、操作部、及びプッシュブロックと操作部間に連接する連接部を含む。その内、プッシュブロックに備えた斜面は、定位部材の作動部に対応し、尚且つリリース部材は可動部材の支持架に連結する。
【考案の効果】
【００１７】
本考案のラック用スライドレールのブラケットは、構造が簡便で、工具を使用せずに、一人が一箇所で迅速にラック支柱に取り付けられる効果を有する。
【図面の簡単な説明】
【００１８】
【図１】本考案の実施例の分解図である。
【図２】本考案の実施例の組立立体図（１）である。
【図３】本考案の実施例の図２の背面を示す組立立体図（２）である。
【図４】本考案の実施例の取付操作方向を示す模式図である。
【図５】本考案の実施例をラックに取り付けた状態を示す模式図である。
【図６】本考案の実施例をラックに取り付けて定位させた状態を示す模式図である。
【図７】本考案の実施例の定位解除状態を示す模式図である。
【考案を実施するための形態】
【００１９】
以下に図面を参照しながら本考案の最良の実施形態について詳細に説明する。
図１に示した本考案の実施例に係るブラケット１０は、固定架１２、取付モジュール１４、可動部材１６、定位部材１８、及びリリース部材２０を含む。
【００２０】
その内、固定架１２は、上壁２２ａ、下壁２２ｂ、上壁２２ａと下壁２２ｂ間に延伸し連結する側壁２４、及び基本的に側壁２４の一端から垂直に延伸する端壁２６を含む。前記上壁２２ａは下向きの突出体２８ａを備え、前記下壁２２ｂに備えた上向きの突出体２８ｂは上壁２２ａの突出体２８ａに対応する。突出体２８ａ、２８ｂと側壁２４は境界を有する第一通路３０を共同で形成する（図３を併せて参照）。側壁２４は、一対の連接孔３２、連接孔３２間に位置する凹部３４、及び制御部３６を備える。その内、凹部３４は隣接する端壁２６まで延伸して第二通路３８を形成し（図３を併せて参照）、尚且つ凹部３４上には窓穴４０を形成し、制御部３６を窓穴４０まで延伸させる。
【００２１】
取付モジュール１４は、固定架１２の端壁２６に固定し、それは、一対の取付部材４２と、取付部材４２間に連接する定位ブロック４４を含み、尚且つ定位ブロック４４は、固定架１２に対応する端壁２６に貫通するねじ穴４６を形成し、螺着部材を螺合し固定させる（螺着部材は公知の部品であるため、図表示を省く）。
【００２２】
可動部材１６は、第一板部４８と、ほぼ第一板部４８から屈曲状態で延伸する第二板部５０とを含む。その内、第一板部４８は、一対の貫通孔５２、一対の突出する支持架５４、支持架５４間に位置する溝部５６、及び第二板部５０に隣接する押圧連結部５８を含む。その内、貫通孔５２は固定架１２の側壁２４の連接孔３２に対応し、貫通孔５２と連接孔３２の一つを軸方向の長穴型態とし、一対の連接部材６０を貫通孔５２及び連接孔３２に貫通させて連結し、これにより、可動部材１６と固定架１２を可動状態で連結する。また、各支持架５４には嵌入孔６２を備える。第二板部５０に含まれる複数のホール６４は、それぞれが取付モジュール１４の取付部材４２及びねじ穴４６に対応する。
【００２３】
定位部材１８は、固定部６６、弾力アーム６８、作動部７０、及び一対の嵌合部７２を含む。その内、固定部６６は、固定架１２の側壁２４に固着し、弾力アーム６８は、固定部６６と作動部７０間に延伸して連接する。作動部７０は、弾力アーム６８から一定角度をもって延伸し、嵌合部７２は、弾力アーム６８の両側から延伸し、尚且つ作動部７０と嵌合部７２は固定架１２の窓穴４０箇所から延伸し配置される。
【００２４】
リリース部材２０は、プッシュブロック７４、操作部７６、及びプッシュブロック７４と操作部７６間に延伸し連接する連接部７８を含む。その内、プッシュブロック７４に備えた斜面８０は、首部８２を介して連接部７８に連結する。
【００２５】
前記構成要素を組み合わせてブラケット１０を構成した図を図２及び図３に示す。図中の可動部材１６は、第一板部４８を固定架１２の側壁２４の第一通路３０内に延伸させ、支持架５４を固定架１２の側壁２４の第二通路３８内に延伸させる。図１を併せて参照すると、リリース部材２０は、首部８２が可動部材１６の溝部５６に挿入されるため、可動部材１６の支持架５４上に可動状態で連結され、しかも、リリース部材２０は、プッシュブロック７４或いは首部８２が固定架１２の制御部３６に対応して動作の制限を受けるため、可動部材１６からの離脱を起こすことがない。尚、プッシュブロック７４の斜面８０は定位部材１８の作動部７０に対応する。
【００２６】
前記実施例のブラケット１０の使用時は図４に示すとおり、固定架１２にスライドレールキット８４を固着する。一般に言えば、スライドレールキット８４の両端はそれぞれブラケット１０に設置する（図ではブラケットの一端だけを表示）。また、ラック本体は主に、四本のラック支柱８６によって矩形の直立型支持架構造を構成し、各ラック支柱８６には複数のホール８８を備える（図にはラック支柱の一端だけを表示）。好ましい実施形態において、ブラケット１０をラック支柱８６上に取り付ける時、使用者は、スライドレールキット８４を手に持つ操作方式でブラケット１０を遠端のラック支柱８６に向き合わせ、先ず、図４に示したＡ方向にブラケット１０を押圧してラック支柱８６に連結させ、さらにＢ方向にスライドレールキット８４を移動させてブラケット１０の固定架１２をラック支柱８６方向にシフトすると、ブラケット１０の固定架１２と可動部材１６は自動的にロックされて、ブラケット１０はラック支柱８６上に定位する。
【００２７】
前記ブラケット１０をラック支柱８６に定位させる操作過程をさらに詳細すると、ブラケット１０を図４に示したＡ方向に押圧してラック支柱８６に連結させる場合、図５に示すとおり、可動部材１６の押圧連結部５８と第二板部５０をラック支柱８６の内側８７ａ及び外側８７ｂに延伸させて押圧すると、可動部材１６は一時的にラック支柱８６を押圧して定位状態となり、尚且つ取付モジュール１４の取付部材４２がラック支柱８６上のホール８８に対応する。また、スライドレールキット８４を手に持ち図４に示した固定架１２をＢ方向に押してラック支柱８６方向にシフトさせた後は、図６に示すとおり、取付モジュール１４の取付部材４２がラック支柱８６のホール８８に挿入され、それと共に、固定架１２もまた可動部材１６に対してシフトするため、定位部材１８の嵌合部７２は可動部材１６の嵌入孔６２に嵌合し、自動的に可動部材１６と固定架１２のロック動作を完了させる。前記操作方法から理解される通り、本考案の提供するブラケット１０は、スライドレールキット８４の延伸を通して、遠端箇所上へのロックを便利に行うことができる。即ち、一人が一箇所で迅速にスライドレールキット８４とブラケット１０をラック支柱８６上に取り付けることができる。
【００２８】
固定架１２と可動部材１６のロック状態を解除し、ブラケット１０をラック支柱８６から取り外したい場合は、図７に示すとおり、リリース部材２０の操作部７６を押し動かすと、リリース部材２０のプッシュブロック７４の斜面８０によって定位部材１８の作動部７０が押圧され、定位部材１８の弾力アーム６８は可動部材１６に対してつっぱり、定位部材１８の嵌合部７２は可動部材１６の嵌入孔６２から離脱するため、可動部材１６と固定架１２は相対的にシフトする。よって、固定架１２をさらに引っ張ると、ブラケット１０の取付部材４２はラック支柱８６から取り外される。
【００２９】
本考案は前述した好ましい実施例に開示した通りであるが、それは本考案を限定するものではなく、本考案によって保護される範囲は、添付した実用新案登録請求の範囲を基準とする。
【符号の説明】
【００３０】
１０：ブラケット、１２：固定架、１４：取付モジュール、１６：可動部材、１８：定位部材、２０：リリース部材、２２ａ：上壁、２２ｂ：下壁、２４：側壁、２６：端壁、２８ａ：突出体、２８ｂ：突出体、３０：第一通路、３２：連接孔、３４：凹部、３６：制御部、３８：第二通路、４０：窓穴、４２：取付部材、４４：定位ブロック、４６：ねじ穴、４８：第一板部、５０：第二板部、５２：貫通孔、５４：支持架、５６：溝部、５８：押圧連結部、６０：連接部材、６２：嵌入孔、６４：ホール、６６：固定部、６８：弾力アーム、７０：作動部、７２：嵌合部、７４：プッシュブロック、７６：操作部、７８：連接部、８０：斜面、８２：首部、８４：スライドレールキット、８６：ラック支柱、８７ａ：内側、８７ｂ：外側、８８：ホール。
【図１】
0003179651.tif 000003
【図２】
0003179651.tif 000004
【図３】
0003179651.tif 000005
【図４】
0003179651.tif 000006
【図５】
0003179651.tif 000007
【図６】
0003179651.tif 000008
【図７】
0003179651.tif 000009